(57)【要約】【課題】店員が適切なタイミングでＰＯＰ表示を切り換えることができる商品情報表示装置、商品情報表示システム、商品情報表示システムの制御方法およびプログラムを提供する。【解決手段】販売商品に関する各種情報を表示する商品情報表示装置８であって、販売商品の少なくとも販売価格１１を表示する価格表示部２２と、販売価格１１に付加して表示すべき付加情報を表示する付加情報表示部３２と、付加情報を表示するための複数の表示データファイルを記憶する付加情報表示データ記憶部と、複数の表示データファイルから少なくとも１つを選択するための操作部４１と、選択された表示データファイルを、付加情報表示部に表示させる付加情報表示制御手段１０２と、を備えていることを特徴とする。【選択図】図４
2008107522.tif 000002
【特許請求の範囲】
【請求項１】
販売商品に関する各種情報を表示する商品情報表示装置であって、
前記販売商品の少なくとも販売価格を表示する価格表示部と、
前記販売価格に付加して表示すべき付加情報を表示する付加情報表示部と、
前記付加情報を表示するための複数の表示データファイルを記憶する付加情報表示データ記憶部と、
前記複数の表示データファイルから少なくとも１つを選択するための操作部と、
選択された前記表示データファイルを、前記付加情報表示部に表示させる付加情報表示制御手段と、を備えていることを特徴とする商品情報表示装置。
【請求項２】
外部装置から、前記販売価格および前記付加情報を表示するための表示制御データを受信する表示制御データ受信手段と、
前記表示制御データを解析する解析手段と、
前記表示制御データの解析結果に基づいて、前記販売価格を前記価格表示部に表示させる価格情報表示制御手段と、
前記表示制御データの解析結果から前記販売価格の価格属性を指定する価格属性指定手段と、
前記表示データファイルの選択結果と、指定された前記価格属性とを照合し、整合性を判別する判別手段と、
前記判別手段の判別結果から整合性がとれていないと判定した場合、前記外部装置にエラー情報を送信するエラー情報送信手段と、をさらに備えていることを特徴とする請求項１に記載の商品情報表示装置。
【請求項３】
前記判別手段の判別結果から整合性がとれていないと判定した場合、その旨を表示または音声により報知する報知手段をさらに備えていることを特徴とする請求項２に記載の商品情報表示装置。
【請求項４】
前記操作部は、ディップスイッチで構成されていることを特徴とする請求項１ないし３のいずれか１項に記載の商品情報表示装置。
【請求項５】
請求項２ないし４のいずれか１項に記載の商品情報表示装置と、
前記外部装置として機能し、前記商品情報表示装置の表示制御を行うホスト装置と、を有することを特徴とする商品情報表示システム。
【請求項６】
前記ホスト装置は、前記エラー情報送信手段からの前記エラー情報を受信し、エラーの発生源である商品情報表示装置を指定可能な識別コードを、前記エラー情報と共に表示するエラー情報表示手段を備えたことを特徴とする請求項５に記載の商品情報表示システム。
【請求項７】
販売商品の販売価格を含む価格情報を表示する電子値札装置と、前記電子値札装置に電気的に接続され、前記販売価格に付加して表示すべき付加情報を表示する電子ＰＯＰ装置と、前記電子値札装置および前記電子ＰＯＰ装置の表示制御を行うホスト装置と、を有する商品情報表示システムであって、
前記電子ＰＯＰ装置は、
前記付加情報を表示する付加情報表示部と、
前記付加情報の複数の表示データファイルを記憶する表示データファイル記憶部と、
前記複数の表示データファイルから少なくとも１つを選択するための操作部と、
選択された前記表示データファイルを前記付加情報表示部に表示させる表示データ表示制御手段と、を備え、
前記電子値札装置は、
前記販売商品の少なくとも販売価格を表示する価格表示部と、
前記ホスト装置から、前記表示制御データを受信する表示制御データ受信手段と、
受信した前記表示制御データを解析する解析手段と、
前記表示制御データの解析結果に基づいて、前記価格表示部に前記価格情報を表示させる価格情報表示制御手段と、
前記表示制御データの解析結果から前記販売価格の価格属性を指定する価格属性指定手段と、
前記電子ＰＯＰ装置の前記操作部による前記表示データファイルの選択結果と、指定された前記価格属性とを照合し、整合性を判別する判別手段と、
前記判別手段の判別結果から整合性がとれていないと判定した場合、前記ホスト装置にエラー情報を送信するエラー情報送信手段と、
前記判別手段の判別結果から整合性がとれていないと判定した場合、その旨を表示または音声により報知する報知手段と、を備え、
前記ホスト装置は、
前記エラー情報送信手段からの前記エラー情報を受信し、エラーの発生源である商品情報表示装置を指定可能な識別コードを、前記エラー情報と共に表示するエラー情報表示手段を備えていることを特徴とする商品情報表示システム。
【請求項８】
前記販売商品の少なくとも販売価格を表示する価格表示部と、前記販売価格に付加して表示すべき付加情報を表示する付加情報表示部と、前記付加情報を表示するための複数の表示データファイルを記憶する付加情報表示データ記憶部と、前記複数の表示データファイルから少なくとも１つを選択するための操作部と、を有する商品情報表示装置と、前記商品情報表示装置の表示制御を行うホスト装置と、を備えた商品情報表示システムの制御方法であって、
前記商品情報表示装置が、前記ホスト装置から、前記販売価格および前記付加情報を表示するための表示制御データを受信して解析することにより、前記販売価格を前記価格表示部に表示させるステップと、
前記表示制御データの解析結果から前記販売価格の価格属性を指定するステップと、
前記商品情報表示装置が、前記操作部により選択された前記表示データファイルを、前記付加情報表示部に表示させるステップと、
前記商品情報表示装置が、前記表示データファイルの選択結果と、指定された前記価格属性とを照合して整合性を判別し、整合性がとれていないと判定した場合、前記ホスト装置にエラー情報を送信するステップと、を実行することを特徴とする商品情報表示システムの制御方法。
【請求項９】
コンピュータに、請求項８に記載の商品情報表示システムの制御方法における各ステップを実行させるためのプログラム。
【発明の詳細な説明】
【技術分野】
【０００１】
本発明は、販売商品の販売価格を含む価格情報を表示する商品情報表示装置、商品情報表示システム、商品情報表示システムの制御方法およびプログラムに関するものである。
【背景技術】
【０００２】
従来、この種の商品情報表示システムに用いられる電子値札装置として、商品陳列ケースに陳列した商品に対応して、ディスプレイに商品の価格情報を表示し、ディスプレイの周囲に広告が印刷されたＰＯＰラベルを貼付したものが知られている。この商品情報表示システムは、広告を変更する場合、ラベルプリンタにより新たにＰＯＰラベルを印刷し、電子値札装置のＰＯＰラベルを貼りかえることにより対応している（特許文献１参照）。
【特許文献１】特開２００１−３４６６６３号公報
【発明の開示】
【発明が解決しようとする課題】
【０００３】
しかし、上記の商品情報表示システムは、電子値札装置の広告を替える場合には、ラベルプリンタによりＰＯＰラベルを印刷し、手作業によりＰＯＰラベルを貼り替える必要があり、煩わしい作業となっていた。そこで、このような問題を解決するため、広告情報（画像データ）を表示するディスプレイを備えた電子ＰＯＰ装置を、電子値札装置に取り付け、ホスト装置からの指示によりディスプレイの広告情報を変更する方法が考えられる。しかし、上記方法では、ホスト装置で統括的に電子ＰＯＰ装置を管理しているため、販売フロア内にいる店員の裁量で広告情報を変更することができない。例えば、お惣菜の売れ残りを防止するためにタイムサービスを実施するような場合には、店員が適切なタイミングで広告情報を変更することができない。
【０００４】
そこで、店員が適切なタイミングでＰＯＰ表示を切り換えることができる商品情報表示装置、商品情報表示システム、商品情報表示システムの制御方法およびプログラムを提供することをその課題としている。
【課題を解決するための手段】
【０００５】
本発明の商品情報表示装置は、販売商品に関する各種情報を表示する商品情報表示装置であって、販売商品の少なくとも販売価格を表示する価格表示部と、販売価格に付加して表示すべき付加情報を表示する付加情報表示部と、付加情報を表示するための複数の表示データファイルを記憶する付加情報表示データ記憶部と、複数の表示データファイルから少なくとも１つを選択するための操作部と、選択された表示データファイルを、付加情報表示部に表示させる付加情報表示制御手段と、を備えていることを特徴とする。
【０００６】
この構成によれば、商品情報表示装置に備えられた操作部を操作することにより、販売フロア内にいる店員の裁量で販売価格に付加して表示される付加情報（例えば、販売商品の広告情報）を変更することができる。これにより、例えば、お惣菜の売れ残りが生じた場合など、販売フロア内の店員の判断でタイムサービスを行っても、これに合わせて付加情報を変更することができる。
【０００７】
この場合、外部装置から、販売価格および付加情報を表示するための表示制御データを受信する表示制御データ受信手段と、表示制御データを解析する解析手段と、表示制御データの解析結果に基づいて、販売価格を価格表示部に表示させる価格情報表示制御手段と、表示制御データの解析結果から販売価格の価格属性を指定する価格属性指定手段と、表示データファイルの選択結果と、指定された価格属性とを照合し、整合性を判別する判別手段と、判別手段の判別結果から整合性がとれていないと判定した場合、外部装置にエラー情報を送信するエラー情報送信手段と、をさらに備えていることが、好ましい。
【０００８】
本発明の商品情報表示システムは、上記の商品情報表示装置と、外部装置として機能し、商品情報表示装置の表示制御を行うホスト装置と、を有することを特徴とする。
【０００９】
本発明の商品情報表示システムの制御方法は、販売商品の少なくとも販売価格を表示する価格表示部と、販売価格に付加して表示すべき付加情報を表示する付加情報表示部と、付加情報を表示するための複数の表示データファイルを記憶する付加情報表示データ記憶部と、複数の表示データファイルから少なくとも１つを選択するための操作部と、を有する商品情報表示装置と、商品情報表示装置の表示制御を行うホスト装置と、を備えた商品情報表示システムの制御方法であって、商品情報表示装置が、ホスト装置から、販売価格および付加情報を表示するための表示制御データを受信して解析することにより、販売価格を価格表示部に表示させるステップと、表示制御データの解析結果から販売価格の価格属性を指定するステップと、商品情報表示装置が、操作部により選択された表示データファイルを、付加情報表示部に表示させるステップと、商品情報表示装置が、表示データファイルの選択結果と、指定された価格属性とを照合して整合性を判別し、整合性がとれていないと判定した場合、ホスト装置にエラー情報を送信するステップと、を実行することを特徴とする。
【００１０】
これらの構成によれば、販売フロア内で店員の操作により商品情報表示装置の付加情報を変更した場合、操作部により選択された付加情報として表示される表示データファイルの選択結果と、ホスト装置から送信された表示制御データから指定された販売価格の価格属性とが比較される。そして、整合性がとれていないと判定した場合には、ホスト装置に対しエラー情報が送信されるため、ホスト装置は、商品情報表示装置の付加情報とホスト装置の管理している各種情報とのミスマッチをリアルタイムで把握することができる。これにより、ホスト装置側の管理情報と商品情報表示装置の情報とでズレが生じることがなく、システムの管理が容易となる。なお、表示データファイルとは、広告情報のイメージデータファイルや動画データファイル等のことである。
【００１１】
この場合、判別手段の判別結果から整合性がとれていないと判定した場合、その旨を表示または音声により報知する報知手段をさらに備えていることが、好ましい。
【００１２】
この構成によれば、販売フロア内で商品情報表示装置が報知することにより店員に注意を促すため、商品情報表示装置に表示される付加情報とホスト装置の管理している各種情報とのミスマッチを現場レベルで対処することができる。
【００１３】
この場合、操作部は、ディップスイッチで構成されていることが、好ましい。
【００１４】
この構成によれば、簡易な操作により表示データファイルを選択することができる。
【００１５】
この場合、ホスト装置は、エラー情報送信手段からのエラー情報を受信し、エラーの発生源である商品情報表示装置を指定可能な識別コードを、エラー情報と共に表示するエラー情報表示手段を備えたことが、好ましい。
【００１６】
この構成によれば、ホスト装置にエラー情報と共に、エラーの発生源である商品情報表示装置の識別コードが表示されるため、管理者はエラー情報を送信した商品情報処理装置を指定し、迅速な対応をとることができる。
【００１７】
本発明の他の商品情報表示システムは、販売商品の販売価格を含む価格情報を表示する電子値札装置と、電子値札装置に電気的に接続され、販売価格に付加して表示すべき付加情報を表示する電子ＰＯＰ装置と、電子値札装置および電子ＰＯＰ装置の表示制御を行うホスト装置と、を有する商品情報表示システムであって、電子ＰＯＰ装置は、付加情報を表示する付加情報表示部と、付加情報の複数の表示データファイルを記憶する表示データファイル記憶部と、複数の表示データファイルから少なくとも１つを選択するための操作部と、選択された表示データファイルを付加情報表示部に表示させる表示データ表示制御手段と、を備え、電子値札装置は、販売商品の少なくとも販売価格を表示する価格表示部と、ホスト装置から、表示制御データを受信する表示制御データ受信手段と、受信した表示制御データを解析する解析手段と、表示制御データの解析結果に基づいて、価格表示部に価格情報を表示させる価格情報表示制御手段と、表示制御データの解析結果から販売価格の価格属性を指定する価格属性指定手段と、電子ＰＯＰ装置の操作部による表示データファイルの選択結果と、指定された価格属性とを照合し、整合性を判別する判別手段と、判別手段の判別結果から整合性がとれていないと判定した場合、ホスト装置にエラー情報を送信するエラー情報送信手段と、判別手段の判別結果から整合性がとれていないと判定した場合、その旨を表示または音声により報知する報知手段と、を備え、ホスト装置は、エラー情報送信手段からのエラー情報を受信し、エラーの発生源である商品情報表示装置を指定可能な識別コードを、エラー情報と共に表示するエラー情報表示手段を備えていることを特徴とする。
【００１８】
この構成によれば、電子値札装置は、電子ＰＯＰ装置と別体に構成されているため、電子値札装置を単に価格情報を表示する値札として使用することや、電子ＰＯＰ装置に接続して、価格情報と共に電子ＰＯＰ装置に付加情報を表示させる装置として幅広く使用することもできる。また、販売フロア内で店員の操作により電子ＰＯＰ装置の付加情報を変更した場合、操作部により選択された付加情報として表示される表示データファイルの選択結果と、ホスト装置から送信された表示制御データから指定された販売価格の価格属性とが電子値札装置において比較される。そして、整合性がとれていないと判定した場合には、電子値札装置がホスト装置に対しエラー情報を送信するため、ホスト装置は、電子ＰＯＰ装置の付加情報とホスト装置の管理している各種情報とのミスマッチをリアルタイムで把握することができる。これにより、ホスト装置側の管理情報と電子ＰＯＰ装置の情報とでズレが生じることがなく、システムの管理が容易となる。販売フロア内で電子値札装置が報知することにより店員に注意を促すため、電子ＰＯＰ装置の付加情報とホスト装置の管理している各種情報とのミスマッチを現場レベルで対処することができる。ホスト装置にエラー情報と共に、エラーの発生源である電子値札装置の識別コードが表示されるため、管理者はエラー情報を送信した電子値札装置を指定し、迅速な対応をとることができる。
【００１９】
本発明のプログラムは、コンピュータに、上記の商品情報表示システムの制御方法における各ステップを実行させることを特徴とする。
【００２０】
これを利用することにより、ホスト装置とＰＯＰ表示のミスマッチを防止することができるプログラムを提供することができる。
【発明を実施するための最良の形態】
【００２１】
以下、添付の図面を参照して、本発明の一実施形態に係る電子値札装置を用いた商品情報表示システムについて説明する。図１に示すように、商品情報表示システム１は、販売商品に関する各種情報を表示する複数の商品情報表示装置８（図示では１つ）と、店舗の天井裏に設置され、商品情報表示装置８と赤外線通信で接続された複数（図示では１つ）のアンテナ５と、複数のアンテナ５と店舗内ＬＡＮ６を介して接続され、商品情報表示装置８の表示制御を行うホスト装置４と、から構成されている。そして、商品情報表示装置８は、少なくとも販売価格１１を含む価格情報を表示する電子値札装置２と、電子値札装置２に電気的に接続され、販売価格１１に付加して表示すべき付加情報を表示する電子ＰＯＰ装置３と、で構成されている。ホスト装置４は、アンテナ５を通じて各電子値札装置２と無線通信を行っており、ホスト装置４により送信される表示制御データに基づいて電子値札装置２および電子ＰＯＰ装置３が表示制御される構成となっている。なお、ここでいう付加情報とは販売商品の広告情報のことであり、表示制御データとは、電子値札装置２に表示させるための販売価格１１および在庫管理情報１２と、販売商品の価格属性を示す属性情報が含まれたものである。また、陳列された商品を変更した場合等は、ハンディターミナル(図示省略)で商品に付されたバーコードから商品情報（商品コード７１）を読み取り、電子値札装置２に直接入力することもできる構成となっている。
【００２２】
図２に示すように商品陳列台７は、商品の設置スペースが階段状に形成されており、各段において商品が横並びに配置されている。最下段の正面前方には、商品に対応して電子ＰＯＰ装置３が配設されており、電子ＰＯＰ装置３の前面には、電子値札装置２が取り付けられている。つまり、顧客は、電子値札装置２の価格情報および電子ＰＯＰ装置３の付加情報を同時に見ることにより、商品を選択しやすくなっている。
【００２３】
電子値札装置２は、ディスプレイ２２（価格表示部）、通信インターフェース２１、接続インターフェース２８、ＲＯＭ２３、メインメモリ２７、処理演算部２６およびＲＡＭ２４(Random Access Memory)を備え、これらは内部バス２５により接続されている。ＲＯＭ２３には、制御プログラム２９が記憶されており、電子値札装置２内の処理動作を制御している（図１参照）。
【００２４】
また、図３に示すように電子値札装置２は、薄板の長方形状に形成されている。正面中央のディスプレイ２２は、いわゆる液晶ディスプレイであり、ホスト装置４から送信された表示制御データに基づいて、販売価格１１および在庫管理情報１２を表示する。在庫管理情報１２は、今週販売実績数１３、在庫状況１４及び先週販売実績数１５から構成され、正面右側に縦一列に表示される。在庫状況１４は、「Ｆ」、「Ｎ」、「Ｅ」の３段階に表示され、「Ｆ」は在庫数問題なし、「Ｎ」は在庫数小、「Ｅ」は在庫切れ、をそれぞれ意味している。店員は、在庫管理情報１２を見ることで、先週販売実績数１５から今週の売れ行きを予測し、今週販売実績数１３及び在庫状況１４から発注数を指定できる構成となっている。また、ディスプレイ２２下方には、該当商品の商品名及びバーコードが印刷されたラベル１６が貼付されている。なお、ディスプレイ２２は液晶のディスプレイ２２に限らず電子ペーパや電子粉粒で画像を表示するようにしてもよい。
【００２５】
通信インターフェース２１は、店舗内に設置されたアンテナ５により赤外線通信を行うためのものであり、赤外線受光センサ（図示省略）を備えている。なお、本実施形態では、赤外線通信としたが電波により通信する構成としてもよい。接続インターフェース２８は、電子値札装置２の背面に設けられた複数（図では４つ）の電極端子から成り、電子ＰＯＰ装置３とデータの送受信を行う。なお、電子値札装置２は、内部に取り付けたリチウム電池等のボタン電池や表面に設けた太陽電池から給電するようにしてもよいし、電子ＰＯＰ装置３から給電するようにしてもよい。
【００２６】
図４に示すように電子ＰＯＰ装置３は、板状フレームを断面Ｌ字型となるように屈曲形成したＰＯＰ本体５５と、ＰＯＰ本体５５の正面上部に設けられた液晶のディスプレイ３２（付加情報表示部）と、ＰＯＰ本体５５の正面下部に設けられた電子値札装置２を保持するための保持プレート５１と、ＰＯＰ本体５５の正面下部右側に設けられたディップスイッチ４１（操作部）と、ＰＯＰ本体５５の背面に設けられた制御ボックス５２と、から構成されている。そして、電子ＰＯＰ装置３が正面を向いた状態で、ＰＯＰ本体５５の下面が商品陳列台７に固定される。
【００２７】
保持プレート５１は、電子値札装置２の設置部となる背面プレート５３と、背面プレート５３の長手方向両端に設けられた一対の保持爪部５４、５４と、から構成されており、電子値札装置２は、一対の保持爪部５４、５４により、背面プレート５３に押し付けられるようにして固定されている。背面プレート５３には、４つの電極端子から成る接続インターフェース３８が設けられており、保持プレート５１に電子値札装置２が取り付けられると、電子ＰＯＰ装置３と電子値札装置２とが電気的に接続される構成となっている。接続インターフェース３８は、内部バス３５に接続されており、電子ＰＯＰ装置３と電子値札装置２とは、接続インターフェース３８、２８を介して、データの送受信を行っている。なお、この接続インターフェース３８、２８は、必ずしもコネクタなどの接触型でなくても良い。例えば、電磁誘導による結合、あるいは電波、赤外線などの非接触型のインターフェースであっても良い。
【００２８】
制御ボックス５２は、内部に、ＲＯＭ３３、Ｆｌａｓｈメモリ３７、ＲＡＭ３４および処理演算部３６を備え、これらは内部バス３５に接続されている。ＲＯＭ３３には、制御プログラム３９が記憶されており、電子ＰＯＰ装置３は、当該制御プログラム３９に基づいて各種処理を制御している（図１参照）。また、Ｆｌａｓｈメモリ３７内のイメージデータファイル記憶部４２および動画データファイル記憶部４３には、付加情報として表示するための複数のイメージデータファイルおよび動画データファイル (以下、イメージデータファイルおよび動画データファイルを、表示データファイルと称する)が、ＰＯＰコード４４と対応させてそれぞれ記憶されている（図５参照）。
【００２９】
このＰＯＰコード４４は、ディップスイッチ４１の各位置に対応しており、ディップスイッチ４１の位置によって、表示データファイルを容易に選択できる構成となっている。具体的には、ディップスイッチ４１の各位置の側方には、１から５までの数字が印字されており、ディップスイッチ４１を上下方向にスライド移動させて、各数字に対応したＰＯＰコード４４を選択する構成になっている（図４参照）。本実施形態であれば、ディップスイッチ４１は、数字の「１」に対応しているため、電子ＰＯＰ装置３はＰＯＰコード４４の「ＨＤ０１」を読出し、「店長おすすめ品」をディスプレイ３２に表示する。この構成により、販売フロア内にいる店員の裁量で付加情報を変更することができる。例えば、お惣菜の売れ残りが生じた場合など、販売フロア内の店員の判断でタイムサービスを行っても、これに合わせて付加情報を変更することができる。なお、本実施形態では、ディップスイッチ４１により表示データファイルを選択する構成としたが、例えばダイヤル式のスイッチのように手動操作できるものであれば、ディップスイッチ４１以外のものでも構わない。
【００３０】
制御ボックス５２の側部には、ＡＣアダプタの差込口５６およびＵＳＢポート５７を備えている。ＵＳＢポート５７に繋がるＵＳＢインターフェース３１は、内部バス３５に接続されており、イメージデータファイル等の比較的容量の大きな画像データを、ホスト装置４等のコンピュータから転送させるときに使用される。
【００３１】
ホスト装置４は、表示制御データを送信することにより電子値札装置２および電子ＰＯＰ装置３の表示制御するものであり、入力デバイス５９、ディスプレイ６２、通信インターフェース６１、入出力インターフェース６７、内部バス６５、ＣＰＵ６６(Central Processing Unit)、ＲＯＭ６３(Read Only Memory)、ＲＡＭ６４(Random Access Memory)およびＨＤＤ６８(Hard Disk Drive)を備えている。ＨＤＤ６８には、商品マスタ７０を記憶している（図１参照）。
【００３２】
図６に示す商品マスタ７０は、商品コード７１、商品名７２、現在の販売価格１１、在庫数１７、先週販売実績数１５、今週販売実績数１３、値札ＩＤ７３および現在のＰＯＰコード４４が商品ごとに関連付けられて記憶されている。ホスト装置４は、商品マスタ７０から販売価格１１、在庫管理情報１２および属性情報を含んだ表示制御データを生成し、電子値札装置２に表示制御データを送信する構成となっている。
【００３３】
ここで、図７を参照して、商品情報表示システム１の機能構成について説明する。
【００３４】
電子値札装置２は、表示制御データ受信手段９１、解析手段９２、価格情報表示制御手段９３、価格属性指定手段９０、判別手段９６、エラー情報送信手段９７、報知手段９８、接続判別手段９９および判別結果送信手段１００を備えている。
【００３５】
表示制御データ受信手段９１は、通信インターフェース２１を介してホスト装置４から表示制御データを受信するものである。解析手段９２は、ＲＯＭ２３内の制御プログラム２９に基づいて、受信した表示制御データを解析するものである。価格情報表示制御手段９３は、表示制御データを解析した結果、表示制御データが販売価格１１および在庫管理情報１２を含む場合に、ディスプレイ２２に販売価格１１および在庫管理情報１２を表示させるものである。
【００３６】
価格属性指定手段９０は、表示制御データを解析した結果から属性情報を指定するものである。判別手段９６は、接続インターフェース２８を介して電子ＰＯＰ装置３からディップスイッチ４１による表示データファイルの選択結果を取得し、この選択結果と表示制御データの解析結果に含まれる属性情報とを照合し、整合性を判別するものである。エラー情報送信手段９７は、電子値札装置２が判別手段９６の判別結果から整合性がとれないと判定した場合、ホスト装置４にエラー情報を送信するものである。例えば、選択結果がＰＯＰコード４４の「ＨＤ０２」で、解析結果がＰＯＰコード４４の「ＨＤ０３」を示す属性情報であるような場合である。このように、電子値札装置２が、整合性がとれないと判定した場合には、ホスト装置４に対してエラー情報が送信されるため、ホスト装置４は、電子ＰＯＰ装置３の選択結果とホスト装置４が管理している各種情報とのミスマッチをリアルタイムで把握することができる。これにより、ホスト装置４側の管理情報と電子ＰＯＰ装置３の情報のズレが生じることがなく、システムの管理が容易となる。
【００３７】
報知手段９８は、電子値札装置２が判別手段９６の判別結果から整合性がとれないと判定した場合、その旨をディスプレイ２２に表示することより報知するものである。このように、販売フロア内に設置されている電子値札装置２で報知することにより、店員に注意を促すため、電子ＰＯＰ装置３の付加情報とホスト装置４が管理している各種情報とのミスマッチを現場レベルで対処することができる。なお、ディスプレイ２２に表示する構成に代えて音声（電子音）により報知するようにしてもよい。
【００３８】
接続判別手段９９は、接続インターフェース２８を介して電子ＰＯＰ装置３が接続されているか否かを判別するものである。判別結果送信手段１００は、接続判別手段９９の判別結果をホスト装置４に送信するものである。この構成により、ホスト装置４は、電子値札装置２による判別結果から、電子値札装置２に電子ＰＯＰ装置３が接続されているか否かを判断することができる。これにより、ホスト装置４側で、電子ＰＯＰ装置３に接続された電子値札装置２の管理が容易になる。
【００３９】
なお、表示制御データ受信手段９１、解析手段９２、価格情報表示制御手段９３、価格属性指定手段９０、エラー情報送信手段９７、報知手段９８および判別結果送信手段１００は、処理演算部２６がＲＯＭ２３内の制御プログラム２９に従ってメインメモリ２７内の各種データを演算し、さらに通信インターフェース２１と協働して処理を実行することにより実現されるものである。また、判別手段９６および接続判別手段９９は、処理演算部２６がＲＯＭ２３内の制御プログラム２９に従ってメインメモリ２７内の各種データを演算し、さらに通信インターフェース２１および接続インターフェース２８と協働して処理を実行することにより実現されるものである。
【００４０】
電子ＰＯＰ装置３は、付加情報表示制御手段１０２を備えている。
【００４１】
付加情報表示制御手段１０２は、ディップスイッチ４１により選択した表示データファイルを付加情報としてディスプレイ３２に表示させるものである。
【００４２】
なお、付加情報表示制御手段１０２は、処理演算部３６がＲＯＭ３３内の制御プログラム３９に従ってＦｌａｓｈメモリ３７内の各種データを演算し、さらに接続インターフェース３８と協働して処理を実行することにより実現されるものである。
【００４３】
ホスト装置４は、表示制御データ送信手段８１およびエラー情報表示手段８２を備えている。表示制御データ送信手段８１は、通信インターフェース６１を介して電子値札装置２に対し表示制御データを送信するものである。エラー情報表示手段８２は、エラー情報送信手段９７から受信したエラー情報から、エラーの発生源である電子値札装置２の値札ＩＤ７３を、エラー情報共にディスプレイ６２に表示するものである。この構成により、ホスト装置４にエラー情報と共に、エラーの発生源である電子値札装置２の識別コードが表示されるため、管理者はエラー情報を送信した電子値札装置２を指定し、迅速な対応をとることができる。
【００４４】
なお、表示制御データ送信手段８１およびエラー情報表示手段８２は、ＣＰＵ６６がＲＯＭ６３内の制御プログラム６９およびＨＤＤ６８内の各種プログラムに従って各種データを演算し、さらに入力デバイス５９や通信インターフェース６１と協働して処理を実行することにより実現されるものである。
【００４５】
図８のフローチャートを参照して、商品情報表示システム１による店員側からの商品情報表示処理について説明する。
【００４６】
まず、販売フロアにおいて店員がディップスイッチ４１を操作すると（Ｓ１１）、電子値札装置２が、ディップスイッチ４１の状態を読み取り、ホスト装置４に表示制御データの送信要求を行う（Ｓ１２）。そして、ホスト装置４は、属性情報を含む表示制御データを電子値札装置２に送信する（Ｓ１３）。電子値札装置２は、表示制御データを受信すると（Ｓ１４）、表示制御データの解析を行う（Ｓ１５）。電子値札装置２は、解析した結果から属性情報を指定し（Ｓ１６）、ディップスイッチ４１による表示データファイルの選択結果と属性情報とに整合性があるか否かを判別する（Ｓ１７）。整合性がないと判定した場合（Ｓ１７：Ｎｏ）、ホスト装置４にエラー情報を送信すると共に、ディスプレイ２２にその旨を報知する（Ｓ１８）。一方、整合性があると判定した場合（Ｓ１７：Ｙｅｓ）、所望の表示データファイルを表示させる（Ｓ１９）。
【００４７】
以上、本実施形態によれば、電子ＰＯＰ装置３に備えられた操作部を操作することにより、販売フロア内にいる店員の裁量で販売価格１１に付加して表示される付加情報を変更することができる。これにより、例えば、お惣菜の売れ残りが生じた場合など、販売フロア内の店員の判断でタイムサービスを行っても、これに合わせて付加情報を変更することができる。
【００４８】
なお、本実施形態では、ホスト装置４が電子値札装置２に表示制御データを送信することで、電子ＰＯＰ装置３が電子値札装置２を介してホスト装置４に表示制御される構成としたが、電子ＰＯＰ装置３が電子値札装置２を介さずにホスト装置４と直に通信する構成してもよい。この場合には、電子ＰＯＰ装置３にホスト装置４と通信を行うための通信インターフェースを備え、表示制御データ受信手段９１、解析手段９２および指示情報判別手段９４をさらに設けて構成する。この構成によれば、電子ＰＯＰ装置３は、ホスト装置４から送信された表示制御データを受信して、自ら解析し表示データファイルをディスプレイ３２に表示することができる。
【００４９】
さらに、上記の例に示した、商品情報表示システム１の各部（各機能）をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００５０】
また、上記に示した実施例によらず、商品情報表示システム１の装置構成や処理工程等について、本発明の要旨を逸脱しない範囲で、適宜変更も可能である。
【図面の簡単な説明】
【００５１】
【図１】商品情報表示システムの制御ブロック図である。
【図２】商品陳列台の正面図である。
【図３】電子値札装置の全体斜視図である。
【図４】（ａ）は、電子ＰＯＰ装置に電子値札装置を取り付けた斜視図であり、（ｂ）は、電子ＰＯＰ装置から電子値札装置を取りはずした斜視図である。
【図５】ＰＯＰコードと表示データファイルとの関連を示す図である。
【図６】商品マスタの一例を示す図である。
【図７】商品情報表示システムの機能ブロック図である。
【図８】店員側からの商品情報表示処理のフローチャートである。
【符号の説明】
【００５２】
１…商品情報表示システム  ２…電子値札装置  ３…電子ＰＯＰ装置  ４…ホスト装置  ８…商品情報表示装置  １１…販売価格  ２２…価格表示部  ４１…操作部  ４４…ＰＯＰコード  ８１…表示制御データ送信手段  ８２…エラー情報表示手段  ９０…価格属性指定手段  ９１…表示制御データ受信手段  ９２…解析手段  ９３…価格情報表示制御手段  ９６…判別手段  ９７…エラー情報転送手段  ９８…報知手段
【図１】
2008107522.tif 000003
【図２】
2008107522.tif 000004
【図３】
2008107522.tif 000005
【図４】
2008107522.tif 000006
【図５】
2008107522.tif 000007
【図６】
2008107522.tif 000008
【図７】
2008107522.tif 000009
【図８】
2008107522.tif 000010